(57)【特許請求の範囲】
【請求項１】
ウエッジ部を有する電球に被着し発光色に着色を行うための耐熱性ゴムで形成されたカラーキャップであって、該カラーキャップの電球挿入端開口部は略楕円状、若しくは、略小判状に形成され、且つ、前記開口部は長径と短径とが設定され、長径はウエッジベース部の幅寸法よりも適宜に小さく、短径は厚み寸法よりも適宜に大きいことを特徴とするカラーキャップ。
【請求項２】
上記請求項１記載のカラーキャップがバルブ部に被着されていることを特徴とするカラー電球。
【発明の詳細な説明】
【０００１】
【発明の属する技術分野】
本発明は、シリコンゴム、フッ素ゴムなど耐熱性ゴムで、予めに各種の色彩として形成されているカラーキャップを選択し被着することで、所望の色彩を得るものとするカラー電球に関するものである。
【０００２】
【従来の技術】
従来のこの種のカラー電球９０の構成の例を示すものが図４であり、無色透明なガラス部材でバルブ部９１ａと例えばウエッジベース部９１ｂとを有する形状として電球９１は形成されており、この電球９１にシリコンゴム、フッ素ゴムなど耐熱性ゴムで各種の色彩として形成されたカラーキャップ９２をバルブ部９１ａに被着することで、発光色を所望の色彩とするカラー電球９０とするものである。
【０００３】
このときに、前記カラーキャップ９２の形状は略釣り鐘状とされると共に、その内径ｄを前記バルブ部９１ａの外形よりも適宜に小さいものとされて、被着した後には弾性でバルブ部９１ａに密着するものとして、運搬時、或いは、使用途上での脱落の防止を図るものとされている。
【０００４】
【発明が解決しようとする課題】
しかしながら、前記した従来のカラー電球９０においては、前記カラーキャップ９２が略釣り鐘状に形成されていることで、第一には、例えばソケットへの着脱時など外部からの力が加えられるときには脱落を生じやすいものとなる問題点を生じている。
【０００５】
また第二には、同様にカラーキャップ９２が略釣り鐘状であることで、前記バルブ部９１ａのウエッジベース部９１ｂと接続するネック部９１ｃは覆われることがなく、よって、この部分から着色されない光が漏れ、カラー電球９０としての性能、品質が損なわれるものとなる問題点を生じている。
【０００６】
尚、上記のネック部９１ｃからの着色されない光の漏れを防止しようとして、カラーキャップ９２を深いものとすると、ソケットなどと干渉する量が増し、ますます脱落を生じやすいものとなったり、或いは、干渉により作業が邪魔され、生産効率が低下するなどの問題点を生じるものとなる。
【０００７】
【課題を解決するための手段】
本発明は上記した従来の課題を解決するための具体的手段として、ウエッジ部を有する電球に被着し発光色に着色を行うための耐熱性ゴムで形成されたカラーキャップであって、該カラーキャップの電球挿入端開口部は略楕円状、若しくは、略小判状に形成され、且つ、前記開口部は長径と短径とが設定され、長径はウエッジベース部の幅寸法よりも適宜に小さく、短径は厚み寸法よりも適宜に大きいことを特徴とするカラーキャップ、及び、該カラーキャップがバルブ部に被着されていることを特徴とするカラー電球を提供することで課題を解決するものである。
【０００８】
【発明の実施の形態】
つぎに、本発明を図に示す実施形態に基づいて詳細に説明する。図１及び図２に符号１で示すものは本発明に係るカラー電球であり、このカラー電球１は無色透明なガラス部材でバルブ部２ａと、この実施形態においてはウエッジベース部２ｂと前記バルブ部２ａとを接続するネック部２ｃとを有する形状として形成された電球２と、カラーキャップ３とから構成されているものである点は、従来例のものと同様である。
【０００９】
ここで、本発明においては前記カラーキャップ３の構成に工夫を加えるものであり、このカラーキャップ３はシリコンゴム、フッ素ゴムなど耐熱性に優れるゴム部材で種々な色の着色が行われて形成されるものである点は従来例と同様であるが、本発明においてはこのカラーキャップ３の電球挿入端の近傍には開口部３ｂを有する絞込部３ａが設けられるものとされている。
【００１０】
前記絞込部３ａは前記ネック部２ｃに沿う形状として形成されると共に、前記ネック部２ｃとウエッジベース部２ｂとが接続する位置に対応して開口部３ｂが設けられ、この開口部３ｂを利用してバルブ部２ａへの被着を行うものとされている。
【００１１】
前記開口部３ｂは、この実施形態では略楕円状、若しくは、略小判状として形成されるものであり、このときには、図３に示すように前記ウエッジベース部２ｂの幅寸法ｗと厚み寸法ｔとを考慮して前記開口部３ｂ（図示は開口部３ｂを略小判状としたときの例で示す）の長径Ｗと短径Ｔとが設定されている。
【００１２】
本発明では前記開口部３ｂの長径Ｗをウエッジベース部２ｂの幅寸法ｗよりも適宜に小さく形成すると共に、短径Ｔを厚み寸法ｔよりも適宜に大きく設定するものであり、このようにすることで、バルブ部２ａの径とそれ程に寸法差のない長径Ｗ側においては、カラーキャップ３が形成されたゴム部材の弾性により、係着力を強め、少ない寸法差であっても脱落を生じないようにする。
【００１３】
そして、短径Ｔ側は厚み寸法ｔよりも適宜に大きいものとして、開口部３ｂの面積を確保し、バルブ部２ａを挿入するときの作業を容易とするのである。尚、本発明においては、前記絞込部３ａが形成されたことで、バルブ部２ａに対する被着時の係着強度が向上し脱落が防止されるので、従来例のカラーキャップのように内径をバルブ部２ａの外形よりも小さく設定しなくとも良い。
【００１４】
ここで、上記開口部３ｂを略楕円状、或いは、略小判状とするのは、例えば矩形状などコーナーを有する形状とした場合にはバルブ部２ａを挿入するときにはカラーキャップ３、特に開口部３ｂの部分に伸びを生じ、そのときの応力がコーナーに集中し、この部分から裂けるなど破損を生じるからであり、よって、コーナーを生じない上記の形状を採用するものである。
【００１５】
尚、上記の説明は電球２がウエッジベース部２ｂを有するウエッジベース型の電球の例で説明したが、本発明はこれを限定するものでなく、例えば金属部材による口金が取付けられた電球であっても、ネック部が存在するものであれば、同様に実施が可能である。尚、このときに口金の断面が真円であってもカラーキャップの開口部は上記の説明のように略楕円状などとして形成し、挿着性を高めることが好ましい。
【００１６】
次いで、上記の構成とした本発明のカラー電球１の作用及び効果について説明する。本発明によりカラーキャップ３のバルブ挿着側の端部近傍に開口部３ｂを有する絞込部３ａを設けたことで、この絞込部３ａにより電球２のネック部２ｃもカラーキャップ３により覆われるものとなり、被着色光の光漏れが防止できるものとなる。
【００１７】
また、例えばカラー電球１のソケットなどへの着脱時には、カラーキャップ３を介して電球２を保持し行わなければ成らないものであるが、上記絞込部３ａが設けられたことにより、カラーキャップ３との電球２との係着力が強化され、このような状態においてもカラーキャップ３のみがが外れてしまう事態を防止できるものとなる。
【００１８】
更には、上記絞込部３ａが設けられたことにより、取り付けが行われた後のカラーキャップ３の形状は、ネック部２ｃを含むバルブ部２ａの形状（外形）に沿うものとなる。よって、この部分（バルブ部２ａおよびネック部２ｃ）の形状を考慮して形成されているソケットとの整合性が良く、ソケットに装着する際にも、捲れ、捻れなどを生じることがなく、これらを補正するための作業も不要となると共に、美観も向上する。
【００１９】
【発明の効果】
以上に説明したように本発明により、カラーキャップの電球挿入端開口部は略楕円状、若しくは、略小判状に形成され、且つ、前記開口部は長径と短径とが設定され、長径はウエッジベース部の幅寸法よりも適宜に小さく、短径は厚み寸法よりも適宜に大きいカラーキャップとし、このカラーキャップが被着されているカラー電球としたことで、第一には、カラーキャップに設けた絞込部によりネック部からの非着色光の漏出をなくし、所望の純色を発光できるものとして、この種のカラー電球の性能向上に極めて優れた効果を奏するものである。
【００２０】
また第二には、前記絞込部により、電球とカラーキャップとの係着力を強化し、カラーキャップの部分を持って行わざるを得ない、例えばソケットへの着脱時にもカラーキャップが脱げ脱落するのを防止して、この種のカラー電球の取り扱い性を向上し、商品性の向上にも極めて優れた効果を奏するものである。
【００２１】
更に第三には、本発明により上記絞込部を設けたことで、ネック部を含むバルブ部の形状と、カラーキャップの形状とが被着した状態で良く沿うものと成り、ソケットなど、もともとこの部分の形状を想定して形成されている取付部分との整合性が高くなり、捲れ、捻れなどを生じることなく簡単に取付けられるものとして取付時の作業性も向上させると共に、美観も向上させる優れた効果も奏するものとなる。
【図面の簡単な説明】
【図１】  本発明に係るカラー電球の実施形態を分解した状態で示す斜視図である。
【図２】  図１のＡ−Ａ線に沿う断面図である。
【図３】  同じく本発明に係るカラーキャップの要部を示す説明図である。
【図４】  従来例を示す断面図である。
【符号の説明】
１……カラー電球
２……電球
２ａ……バルブ部
２ｂ……ウエッジベース部
２ｃ……ネック部
３……カラーキャップ
３ａ……絞込部
３ｂ……開口部
【図１】
0004195159.tif 000002
【図２】
0004195159.tif 000003
【図３】
0004195159.tif 000004
【図４】
0004195159.tif 000005